(57)【要約】      （修正有）【課題】収納性、取り出し性、携行性、デザインおよび経済性の各観点において優れた巻き取り式の縄跳び収納具を提供する。【解決手段】縄跳び収納具は、中央に立設する固定軸部１ａを有する基体１と、固定軸部の中心を回転軸として回転する巻取り部２と、巻取り部を回転させるための巻取り操作部３と、回転軸部および巻取り操作部とが基体に対して回転可能に固定されるための留め部４とを備える。巻取り部は、固定軸部を外包する回転軸部と、回転軸部に回転軸に垂直な平面内に固定された円盤状の水平板２ｂを備え、水平板の一部に外周部側から切欠け２ｃが設けられ、基体には回転軸と平行な方向において切欠け位置を含む位置に開口である縄挿入口１ｄが設けられたことを特徴とする。【選択図】図１
0003198601.tif 000002
【実用新案登録請求の範囲】
【請求項１】
略中央に立設する固定軸部を有する基体と、
上記固定軸部の中心を回転軸として回転する巻取り部と、
当該巻取り部に固定された巻取り操作部と、
を備え、
上記基体と上記巻取り操作部とはそれぞれが回転可能に結合する嵌合部を有し、
上記巻取り部は、上記固定軸部を外包する回転軸部と、当該回転軸部に上記回転軸に垂直な平面内に固定された水平板を備え、
当該水平板の一部に外周部側に固定個所が設けられ、
上記基体には回転軸と平行な方向において上記固定個所を含む位置に開口である縄挿入口が設けられた
ことを特徴とする縄跳び収納具。
【請求項２】
略中央に立設する固定軸部を有する基体と、
上記固定軸部の中心を回転軸として回転する巻取り部と、
当該巻取り部に固定された巻取り操作部と、
上記回転軸部および上記巻取り操作部とが上記基体に対して回転可能に固定されるための留め部と
を備え、
上記巻取り部は、上記固定軸部を外包する回転軸部と、当該回転軸部に上記回転軸に垂直な平面内に固定された水平板を備え、
当該水平板の一部に外周部側に固定個所が設けられ、
上記基体には回転軸と平行な方向において上記固定個所を含む位置に開口である縄挿入口が設けられた
ことを特徴とする縄跳び収納具。
【請求項３】
上記固定個所は切欠けであり、当該切欠けは外周部側から内部に広がる形状である
ことを特徴とする請求項１または２に記載の縄跳び収納具。
【請求項４】
上記基体と上記巻取り操作部とにより、縄跳びのロープが収納される収納空間が形成される
ことを特徴とする請求項１から３のいずれかに記載の縄跳び収納具。
【請求項５】
上記留め部は基体とねじ留めにより着脱可能に固定される
ことを特徴とする請求項２に記載の縄跳び収納具。
【請求項６】
上記巻取り操作部表面に巻取りの方向を示す巻取り回転方向指示表示が設けられ、
当該巻取り回転方向指示表示が示す回転方向は、上記留め部が基体に対してねじが緩む方向である
ことを特徴とする請求項５に記載の縄跳び収納具。
【請求項７】
フックがさらに設けられた
ことを特徴とする請求項１から６のいずれかに記載の縄跳び収納具。
【請求項８】
上記フックが設けられた位置は、上記縄挿入口に対向する位置である
ことを特徴とする請求項７に記載の縄跳び収納具。
【請求項９】
請求項１から８のいずれかに記載の縄跳び収納具と、
縄跳びと
を備えた縄跳びセット。
【考案の詳細な説明】
【技術分野】
【０００１】
本考案は、縄跳びを収納する収納具に関するものである。また、その収納具を備えた縄跳びセットに関するものである。
【背景技術】
【０００２】
縄跳びは、一人で手軽にできるスポーツとして、学童から大人に至る広い世代で親しまれている。また、近年は他のスポーツと同様にファッション性も重視され、デザインに工夫を凝らした縄跳びも数多く販売されている。
通常、縄跳びの使用後は、縄を二つ折りにして、全体を結ぶようにして収納する。そして、カバンやランドセルに押し込んで携帯するのが普通である。
【０００３】
しかし、このような携帯方法では、カバンやランドセルの中が煩雑になる。そこで、携帯性を考慮した縄跳びが考案されている。この考案は、縄跳びの紐の一方の把手の近傍に結束帯を固定し、この結束帯に名前の記入欄を設けると共に、結束用の止着具を取り付けたことで、他人の縄跳び具と容易に区別ができ、しかも使用後、小さく結束して携行することができる子供用縄跳び具に関するものである。（例えば、特許文献１）。
【先行技術文献】
【特許文献】
【０００４】
【特許文献１】実用新案登録第３１３０１４９号
【考案の概要】
【考案が解決しようとする課題】
【０００５】
上述した特許文献１に開示されている子供用縄跳び具は、縄跳びの紐を幾重にも折り返して結束体により結束する。したがって、紐に折り返しの癖が付いてしまい、縄跳びをする際に、紐が所望の滑らかな回転をせず、縄跳び運動に支障が生じてしまう。
【０００６】
また、雨上りの校庭等において縄跳びをした場合、紐に泥等が付着する場合がある。その泥を取らずに、紐を幾重にも折り返して結束体により結束するだけだと、紐に付いた泥が、衣服やカバン、あるいはカバンの中に入れた書籍等を汚すといった問題も生じる。
【０００７】
さらに、折り返して結束するという収納動作も煩雑であり、学童や未就学児童にとっては、困難な動作である。
本考案は、上記の諸課題を解決するとともに、携帯性とファッション性を向上させた縄跳びの収納具を提供するものである。
【課題を解決するための手段】
【０００８】
本考案の請求項１に係る縄跳び収納具は、
略中央に立設する固定軸部を有する基体と、
上記固定軸部の中心を回転軸として回転する巻取り部と、
当該巻取り部に固定された巻取り操作部と、
を備え、
上記基体と上記巻取り操作部とはそれぞれが回転可能に結合する嵌合部を有し、
上記巻取り部は、上記固定軸部を外包する回転軸部と、当該回転軸部に上記回転軸に垂直な平面内に固定された水平板を備え、
当該水平板の一部に外周部側に固定個所が設けられ、
上記基体には回転軸と平行な方向において上記固定個所を含む位置に開口である縄挿入口が設けられた
ことを特徴とする。
【０００９】
本考案の請求項２に係る縄跳び収納具は、
略中央に立設する固定軸部を有する基体と、
上記固定軸部の中心を回転軸として回転する巻取り部と、
当該巻取り部に固定された巻取り操作部と、
上記回転軸部および上記巻取り操作部とが上記基体に対して回転可能に固定されるための留め部と
を備え、
上記巻取り部は、上記固定軸部を外包する回転軸部と、当該回転軸部に上記回転軸に垂直な平面内に固定された水平板を備え、
当該水平板の一部に外周部側に固定個所が設けられ、
上記基体には回転軸と平行な方向において上記固定個所を含む位置に開口である縄挿入口が設けられた
ことを特徴とする。
【００１０】
本考案の請求項３に係る縄跳び収納具は、
上記固定個所は切欠けであり、当該切欠けは外周部側から内部に広がる形状である
ことを特徴とする。
【００１１】
本考案の請求項４に係る縄跳び収納具は、
上記基体と上記巻取り操作部とにより、縄跳びのロープが収納される収納空間が形成される
ことを特徴とする。
【００１２】
本考案の請求項５に係る縄跳び収納具は、
上記留め部は基体とねじ留めにより着脱可能に固定される
ことを特徴とする。
【００１３】
本考案の請求項６に係る縄跳び収納具は、
上記巻取り操作部表面に巻取りの方向を示す巻取り回転方向指示表示が設けられ、
当該巻取り回転方向指示表示が示す回転方向は、上記留め部が基体に対してねじが緩む方向である
ことを特徴とする。
【００１４】
本考案の請求項７に係る縄跳び収納具は、
フックがさらに設けられた
ことを特徴とする。
【００１５】
本考案の請求項８に係る縄跳び収納具は、
上記フックが設けられた位置は、上記縄挿入口に対向する位置である
ことを特徴とする。
【００１６】
本考案の請求項９に係る縄跳び収納具セットは、
縄跳び収納具と、縄跳びとを備えたものである。
【考案の効果】
【００１７】
本考案に係る縄跳び収納具は、上記のように構成されているので、縄跳びのロープをコンパクト且つスタイリッシュに収納できるので形態性に優れている。また、フックを設け、その取り付け位置を最適化したことで、かばんやランドセルに吊るして携行するに適している。
そして、収納時には、ロープが筐体内に収まるため、ロープについた泥等の汚れを気にせずに携帯できる。
【００１８】
また、収納に際しては、巻取り方式を採用しているため、単純な操作部の回転により収納が行えるので、学童等においても容易に収納が行える。
一方、収納した縄を取り出す際には、縄跳びのグリップを引き出すだけであるので、簡単にスピーディーに縄を取り出して使用することができる。
【００１９】
さらに、巻取り機構に工夫を凝らし、筐体内部でロープが絡まりにくく、スムースな巻取りを可能としている。そして、収納時の誤使用により筐体内部でロープが絡まることがあった場合においても、筐体からロープを簡単に取り出せる構成を有している。
【図面の簡単な説明】
【００２０】
【図１】本考案に係る縄跳び収納具の垂直断面図である。
【図２】本考案に係る縄跳び収納具の外観図であり、（ａ）は図１における矢印Ａ方向から見た図、（ｂ）は矢印Ｂ方向から見た図である。
【図３】本考案に係る縄跳び収納具の内部の上面図である。
【図４】本考案に係る縄跳び収納具の巻取り方法を説明するための図である。
【図５】本考案に係る縄跳び収納具の縄跳び収納時の（ａ）断面図と（ｂ）外観図である。
【図６】本考案に係る縄跳び収納具の他の構成の垂直断面図である。
【考案を実施するための形態】
【００２１】
実施の形態１．
本考案に係る縄跳び収納具の構成等に関して、以下において、図面を用いて説明する。なお、以下の説明は本考案に関する良好な一例を開示するものであり、本考案が当該実施の形態に限定されるものではない。例えば、本実施の形態において開示する考案品の材料や寸法等は、良好な一例を示すに過ぎず、その他の可能性を否定するものでは無い。
【００２２】
＜構成＞
まず、図１から３を用いて、本考案に係る縄跳び収納具の構成について説明する。
図１は縄跳び収納具の垂直断面図、図２は外観図であり、（ａ）は図１の白抜き矢印Ａの方向から見た図、（ｂ）は白抜き矢印Ｂの方向から見た図である。そして、図３は、内部の上面図である。
【００２３】
縄跳び収納具は、略中央に立設する固定軸部１ａを有する基体１、固定軸部１ａの中心を回転軸として回転する巻取り部２、巻取り部２を回転させるための巻取り操作部３、および、回転軸部２および上記巻取り操作部３とが上記基体に対して回転可能に固定されるための留め部４等から構成される。基体１、巻取り部２、巻取り操作部３および留め部４は、いずれも、上記中心軸を回転軸としてほぼ回転対称に形成されている。
【００２４】
回転軸部２は、基体１の固定軸部１ａを外包する回転軸部２ａを有し、固定軸部１ａの中心を回転軸として回転する。また、回転軸部２ａには、この回転軸に垂直な平面に設けられた円盤状の水平板２ｂが固定され、当該水平板２ｂの一部に外周部側から切欠け２ｃが設けられている。切欠け２ｃは、収納を行う際に、ロープを水平板２ｂに固定するための固定個所である。
【００２５】
基体１は、回転軸部２を覆うように縄収納部１ｃを備え、回転軸と平行な方向において上記切欠け位置を含む位置に開口である縄挿入口１ｄが設けられている。また、固定軸部１ａの上方には、固定軸部１ａよりも小さな直径のねじ部１ｂが形成されている。
【００２６】
巻取り操作部３は、回転軸部２ａの上端部と嵌合し、巻取り部２と一体に回転する。また、基体１とともに、ロープを収納する空間を形成している。
【００２７】
留め部４は基体１のねじ部１ｂとねじ留めにより着脱可能に固定される。これにより、回転軸部２および上記巻取り操作部３とが上記基体１に対して回転可能に固定される。
【００２８】
そして、巻取り操作部３の表面には、巻取りの方向を示す巻取り回転方向指示表示３ａが設けられている。この巻取り回転方向指示表示３ａが示す回転方向は、上記留め部４が基体に対してねじが緩む方向と同じ回転方向である。これは、巻取り時に留め部４が供回りして締まらないようにするためである。
また、留め部４の表面には、ねじが締まる方向あるいは緩む方向を示すねじ留め回転方向指示表示４ａが設けられている。
【００２９】
基体１には、縄挿入口１ｄと対向する位置にフック５が設けられている。
【００３０】
縄跳び収納具の外径は約８ｃｍであり、縄挿入口１ｄの大きさは縦２０ｍｍ、横１０ｍｍ程度である。
基体１、巻取り部２、巻取り操作部３および留め部４は、いずれも量産に適した樹脂の成型品である。
【００３１】
＜収納および取り出しの動作＞
次に、図４を用いて、縄跳びの収納方法について説明する。
まず、縄跳びのロープ６をその中心で二つ折れにする。そして、二つ折れ部分を切り欠け２ｂに引っ掛ける。そして、基体１を左手に持ち、巻取り操作部３を右手で回転させる。それにより、巻取り部２は白抜き矢印Ｃの向きに回転し、約７回転でロープ６が巻き取られる。
【００３２】
図５はロープ６が巻き取られた状態、すなわち収納時の状態を表した図であり、（ａ）が断面図、（ｂ）が外観図である。
図５（ａ）に示すように、ロープ６は水平板２ｂを境にして半分ずつ収納される。
また、図５（ｂ）に示すように、極めてコンパクト且つスタイリッシュに収納される。
【００３３】
また、フック５が縄挿入口１ｄと対向する位置に設けられていることで、かばんやランドセルの外部に吊るした際には、重いグリップが下に来るので、安定した状態で、且つスッキリとした外観で携行できる。
【００３４】
他方、ロープ６を縄跳び収納具から取り出す際には、縄跳び収納具を左手に持ち、右手で２つのグリップ掴んで引っ張り出せばよい。このように極めて簡単な動作で、ロープ６を取り出すことができる。
【００３５】
なお、収納の際に巻取り操作部３を一方向に回して最後まで巻き上げず、途中で逆方向に回転するといった誤った操作を行った場合には、縄跳び収納具内において、ロープが絡まるといった不具合が生じる場合がある。この際には、留め部４を外して、さらに、回転軸部２および上記巻取り操作部３とを上記基体１から抜き出して、絡まったロープを回収すればよい。その後、逆の手順で、縄跳び収納具を容易に元の状態に組立てることができる。縄跳び収納具はわずか４つのパーツから構成されており、直感的に容易に組みたれられるように構成されている。
【００３６】
＜上記以外の構成＞
以上のように、本実施の形態においては、縄跳び収納具の最適な一構成を示したが、他の構成であっても良い。
例えば、収納具の外形は球体に限らず、６角形や１２角形等であっても良く、ロープ６を収納できる容積を有していれば、どのような形状であっても良い。
【００３７】
また、切り欠け２ｂは、水平板２ｂにひとつだけ設けたが、対向する位置にさらに設けても良いし、１２０°間隔で３つ設ける等、複数個設けても良い。切り欠け２ｂの形状に関しても、図３等に示した形状に限定されることは無く、ロープを挿入される幅を有していれば良い。ただし、図３に示したように、挿入側である外周側で幅が狭く、内部で広がった形状が望ましい。収納の際にロープが外れにくく、また、巻き取り時には、切り欠け２ｂ内でロープ６が動くことができるため、ロープが絡まることを抑制することができる。収納の際にロープがより外れにくくするためには、挿入側である外周側に柔らかいスポンジ等を設けても良い。
なお、ロープ６の固定の方法は切欠け２ｃに限らず、フック等を用いることも可能である。本実施の形態で切欠け２ｃを用いているのは、ロープ６が取りだしやすいことと、ロープ６が水平板２ｂを境にして両側に確実に２等分されて収納されるからである。
【００３８】
基体１と留め部４との固定方法はねじ留めに限らず、嵌合や磁力による固定、あるいは面ファスナー等により行っても良い。本実施の形態において、ねじ留めで固定しているのは、経時劣化がほとんどなく、外れにくく且つ外しやすいためである。また、基体１と留め部４とをねじを回す要領ではずす際、完全に外れる直前では、ねじの回転が重くなるように回転抵抗を大きくしても良い。そのようにすることで、外れやすさを担保しつつ、徐々にねじが緩んで留め部４が外れて紛失してしまうといった問題を解消することができる。
また、留め部４を設けないで構成することも可能である。例えば、図６に示すように、基体１０にねじの代わりに嵌合凹部１０ｂを設け、巻取り操作部３０に嵌合凸部３０ｂを設けることで、基体１０と巻取り操作部３０とを回転可能に結合させてやることができる。
【００３９】
また、巻取り操作部３等を透明な樹脂で構成しても良い。内部が可視できるようになり、切り欠け２ｂを回転させて、縄挿入口１ｄ付近で容易に止めることができる。また、ロープ６を切り欠け２ｂに適切に引っ掛けることも容易になる。
【００４０】
＜本考案の特長＞
以下、本考案の特長についてまとめる。
本考案に係る縄跳び収納具は上記のように構成されているので、縄跳びの種類に拘わらず収納可能であり、縄跳びが消耗した場合には、別の縄跳びの収納具として使用できる。縄跳びの日々のトレーニングとして行っている人々にとっては、縄跳びは消耗品であり、縄跳びの種類を問わず収納可能な収納具が求められており、その要求を満足するものである。
【００４１】
一方で、本考案に係る縄跳び収納具は極めて簡素な構成であり、基体、巻取り部、巻取り操作部および留め部の４つのパーツすべてが、樹脂の成型による製造に適した形状であり、４つのパーツの組立ても極めて容易である。したがって、廉価に製造できるため、学童向けの縄跳び収納具としての使用にも適している。
【００４２】
ロープを二つ折れにし、二つ折れにした先端を切り欠けに挿入して引っ掛け、巻取り操作部を一方向に回転させるだけで収納が完了するため、子供にとっても直感的に理解しやすい操作である。また、二つ折れにして巻き取るため、巻き取りに要する回転が半分で済み、スピーディーに巻き取りが行える。巻取り操作部を中央よりも上方に位置させたことも操作性向上のために工夫した点であり、これにより、巻取り操作部があまり大きくならず、子供や女性の小さな手でも巻き取り操作を容易に行うことを可能としている。また、その分、基体が大きくなるので、基体を固定して操作しやすくなる。
【００４３】
特に、切り欠けは挿入口付近の幅を狭めた形状であるため、一度引っ掛けたロープが抜けにくく、巻取り操作がさらに容易に行える。巻取り操作部等を透明な材質で形成し、内部を視認できるようにすれば、操作性を一段と向上することも可能となる。内部の回転が視認できることによる視覚上の面白さも生じる。
【００４４】
そして、巻き取り時にロープが絡まりにくいという大きな特長を有している。縄跳びのロープは非常に長いため、通常の巻き取り機構ではどうしても絡まりやすい。しかし、本考案においては、水平板を境にしてロープが等分に異なる場所に収納されるため、それぞれの場所ではロープの長さは半分となり、絡まる危険性が大きく減少する。
【００４５】
誤った収納操作等により万が一ロープが絡まった場合であっても、簡単な手順で全体を分解し、絡まったロープを回収できる。回収後には、やはり簡単な手順で元の状態に組立てることができる。
【００４６】
また、円柱面に巻き取られて収納されるので、紐に癖がつくことなく且つコンパクトに縄跳びを収納できるので、縄跳びをする際に快適に縄跳び運動を行うことができる。本考案では、二つ折れにしてロープを収納するものの、二つ折れにした先端部分は、切り欠け部内部の広がった個所に位置するため、強く折れ曲がることは無く、癖はつきにくい。そもそも、中央部の癖は、左右のバランスを崩すことは無く、縄跳びをする際にあまり問題にならない。
さらに、ロープのほとんどの部分が収納具の内部に収納されるので、ロープが樹脂製であっても、紫外線によって劣化する心配が無い。
また、巻取り時には、ロープを切欠けに挿入する操作を除いてロープに直接触ることなく収納できるので、ロープが泥等で汚れていても、手が汚れるといったことを気にする必要が無い。
【００４７】
グリップを引っ張るだけで収納したロープを極めて簡単且つスピーディーに取り出せることも、本考案の顕著な特長のひとつである。ロープの取り出し操作は、縄跳びを始める際のモチベーションに大きく影響を与える。本考案においては、グリップを引っ張ることで、巻取り部と巻取り操作部が高速に回転し、痛快にロープを取り出すことができるので、縄跳びを頑張ってやろうという気持ちを高めるという効果も有する。
【００４８】
さらに、ロープのほとんどの部分を収納具の内部に収納するので、ロープに付いた泥や土等が衣服やカバン等を汚す心配がない。
そして、上述したように、各パーツは樹脂の成型による製造に適した形状であるため、薄型化や軽量化も可能であり、携行性を向上させることができる。
【００４９】
また、フックを利用してかばんやランドセル、衣服に吊るして携帯することが可能であり、その際には、グリップがぶらぶらと大きく揺れ動くこともなく、コンパクトで安定した状態で携行することができる。
【００５０】
デザイン性も優れており、縄跳び収納具自体がコンパクト且つスタイリッシュであるとともに、ロープを収納した状態やかばん等に吊り下げて携行する状態も、コンパクト且つスタイリッシュである。
【符号の説明】
【００５１】
１．基体
１ａ  固定軸部  １ｂ  ねじ部  １ｃ  縄収納部
１ｄ  縄挿入口
２．巻取り部
２ａ  回転軸部    ２ｂ  水平板  ２ｃ  切欠け
３．巻取り操作部
３ａ  巻取り回転方向指示表示
４．留め部
４ａ  分解・組立回転方向指示表示
５．フック
６．ロープ
【図１】
0003198601.tif 000003
【図２】
0003198601.tif 000004
【図３】
0003198601.tif 000005
【図４】
0003198601.tif 000006
【図５】
0003198601.tif 000007
【図６】
0003198601.tif 000008